(57)【特許請求の範囲】
【請求項１】
少なくとも振動方向から見た平面形状が長径と短径とを有する非軸対称形の振動板と、磁気ギャップを有する上記振動板に対応して複数個配置された磁気回路と、上記それぞれの磁気回路の上記磁気ギャップに亘って挿入されたボイスコイルを巻回してなる長径と短径とを有する非軸対称形のボイスコイルボビンと、上記振動板の外周に内周が固着されたエッジと、このエッジの外周と固着されるとともに底面に上記複数の磁気回路を配置したフレームと、このフレームの長径方向に懸架された断面略Ｓ字状の複数のダンパーと、このダンパーのＳ字状の略中央から上方に向けて突出し上記ボイスコイルボビンを支持してなる支持材よりなるスピーカ。
【請求項２】
スピーカが略Ｓ字状の第１のダンパーとこの第１のダンパーと併設された上記第１のダンパーの略Ｓ字状と対称の略逆Ｓ字状の第２のダンパーから構成される請求項１記載のスピーカ。
【請求項３】
ダンパーが繊維状の材料から形成されるとともに、編み込み方向が長径方向および短径方向に対し斜め方向である請求項１記載のスピーカ。
【発明の詳細な説明】
【０００１】
【発明の属する技術分野】
本発明は各種音響機器に使用される細長構造のスピーカに関するものである。
【０００２】
【従来の技術】
スピーカは陰極線管の両脇に取り付けられるため、従来からテレビジョン受像機用には角型や楕円型等の細長構造のスピーカが用いられてきたが、陰極線管の横長化に伴い、益々スピーカの幅を狭くすることが求められると共に、画面の高画質化に対応した音声の高音質化が要求されてきている。
【０００３】
ここで、従来の細長型のスピーカについて、図７、図８により説明する。
図７（ａ）は従来の細長構造のスピーカの平面図、図７（ｂ）は同長径方向の側断面図、図７（ｃ）は同短径方向の側断面図である。
【０００４】
同図によると、１ｅは空気振動を発生する細長形状の振動板であり、この振動板１ｅの外周部はエッジ３ｅを介してフレーム１１ｅに保持されている。
【０００５】
この振動板１ｅの中間部にはボイスコイルボビン６ｅが固着され、このボイスコイルボビン６ｅはダンパー４ｅを介してフレーム１１ｅに振動自在に支持されている。
【０００６】
一方、上記フレーム１１ｅ中央凹部にはヨーク８ｅ、磁石９ｅ、プレート１０ｅからなる磁気回路２６が設けられ、この磁気回路２６の磁気ギャップにボイスコイルボビン６ｅに巻回されたボイスコイルがはまりこみ、ボイスコイルに流れる駆動電流によりボイスコイルビン６ｅがピストン運動して振動板１ｅが振動し、音波が放射されるものである。
【０００７】
なお、図８はダンパー４ｅの力・変位特性図である。
【０００８】
【発明が解決しようとする課題】
しかしながら、上述のスピーカは以下のような課題を有するものであった。
【０００９】
１．細長の振動板１ｅの中央部を点駆動するものであるため、長軸方向の分割共振が発生し易く、中高域では再生音圧の周波数特性にピークやディップを生じ、音圧の劣化を招く。
【００１０】
２．ダンパー４ｅは、フレーム１１ｅの内部に収まるように曲率半径・幅ともに小さくする必要があり、結果、振動系のスティフネスが大きくなって最低周波数ｆｏが上昇し低音域の再生が困難になる。
【００１１】
本発明は上記課題を解決するもので、細長構造でありながら分割共振が起こりにくく、かつ、平坦な周波数特性が得られ、最低共振周波数ｆｏを低く抑えて低音域の再生を可能とした音質の優れたスピーカを提供するものである。
【００１２】
【課題を解決するための手段】
上記課題を解決するために本発明のスピーカは、振動方向から見た平面形状が長径と短径とを有する非軸対称形の振動板と、磁気ギャップを有する上記振動板に対応して複数個配置された磁気回路と、上記それぞれの磁気回路の上記磁気ギャップに亘って挿入されたボイスコイルを巻回してなる長径と短径とを有する非軸対称形ボイスコイルボビンと、上記振動板の外周に内周が固着されたエッジと、このエッジの外周と固着されるとともに底面に上記複数の磁気回路を配置したフレームと、このフレームの長径方向に懸架された断面略Ｓ字状の複数のダンパーと、このダンパーのＳ字状の略中央から上方に向けて突出し上記ボイスコイルボビンを支持してなる支持材で構成したことにより、ボイスコイルボビンの上下動の動きは、上記Ｓ字状のダンパーで支持されることによって上向きの力による変位と下向きの力による変位の差異を少なくでき大振幅時の非線形歪みが低減されて音質の向上が図れるものである。
【００１３】
【発明の実施の形態】
本発明の請求項１に記載の発明は、少なくとも振動方向から見た平面形状が長径と短径とを有する非軸対称形の振動板と、磁気ギャップを有する上記振動板に対応して複数個配置された磁気回路と、上記それぞれの磁気回路の上記磁気ギャップに亘って挿入されたボイスコイルを巻回してなる長径と短径とを有する非軸対称形のボイスコイルボビンと、上記振動板の外周に内周が固着されたエッジと、側壁がこのエッジの外周と固着されるとともに底面に上記複数の磁気回路を配置したフレームと、このフレームの長径方向に懸架された断面略Ｓ字状の複数のダンパーと、このダンパーのＳ字状の略中央から上方に向けて突出し上記ボイスコイルボビンを支持してなる支持材で構成して、上記ボイスコイルボビンの上下動を支持する上記Ｓ字状のダンパーの上向きの力による変位と下向きの力による変位の差異を少なくして大振幅時の非線形歪みを低減し、音質の向上を図るものである。
【００１４】
本発明の請求項２に記載の発明は、請求項１記載の構成のダンパーを略Ｓ字状の第１のダンパーとこの第１のダンパーと併設された上記第１のダンパーの略Ｓ字状と対称の略逆Ｓ字状の第２ダンパーとしたものであり、同一部分に略Ｓ字状と対称の略逆Ｓ字状部分を設けたため、ダンパーの上向きの力による変位と下向きの力による変位の差をより少なくして大振幅時の非線形歪みをより低減し、音質の更なる向上を図るものである。
【００１５】
本発明の請求項３に記載の発明は、請求項１記載のダンパーを繊維状の材料から形成されるとともに、編み込み方向を長径方向および短径方向に対し斜め方向としたものであり、ダンパーの振幅に対する強度を向上させて寿命特性を向上させるとともに、大振幅時の歪みレベルの更なる低減を図れるものである。
【００１６】
以下、本発明のスピーカの一実施の形態について図１から図６により説明する。
【００１７】
（実施の形態１）
図１は、本発明の一実施の形態のスピーカの分解斜視図であり、図２（ａ）は、同要部であるダンパーの斜視図であり、図２（ｂ）は同断面図であり、図３は同力・変位特性図である。
【００１８】
同図によると、１は長径と短径とを有する非軸対称形の振動板であり、２は上記振動板１の外周に内周が固着されたエッジであり、このエッジ２の外周はフレーム９に接着固着されて上記振動板１はフレーム９に保持されている。
【００１９】
１０はコ字状のヨーク７と、このヨーク７内に配置された板状の磁石８からなる上記フレーム９の底面に配置された複数の磁気回路であり、６は略Ｓ字状のダンパーであり、フレーム９の底面に配置された磁気回路１０間のフレーム９に設けられた開口部９ａに接着によって懸架固定されている。
【００２０】
３は上記振動板１に結合された長径と短径とを有する非軸対称形のボイスコイルボビンであり、上記複数の磁気回路１０の磁気ギャップに挿入される部分にはボイスコイル４が巻回されている。５は上記略Ｓ字状のダンパー６の中央部に一端が結合されるとともに上記コイルボビン３の内周部分に結合された支持板である。
【００２１】
以上のように構成されたスピーカのダンパーの力・変位特性を図３に示す。図８に示した従来のスピーカのダンパーの力・変位特性と比較すると明らかなごとく、本実施の形態のダンパーの力・変位特性は従来のものと比べて直線性が改善されたことが確認された。
【００２２】
従って、上向きの変位と下向きの変位のスティフネスの差が少なくなって、大振幅時の非線形歪みを低減して、最低共振周波数ｆｏを低く抑えて、低音域の再生を可能とするものである。
【００２３】
（実施の形態２）
本発明の他の実施の形態を図４（ａ），（ｂ）、図５により説明する。なお、実施の形態１と同一部分は同一番号を付し、説明を省略して説明する。
【００２４】
図４（ａ）は本発明の他の実施の形態の要部である支持板とダンパーの関係を示す斜視図であり、図４（ｂ）は同断面図である。
【００２５】
同図によると、実施の形態１との相違点はダンパーの形状であり、ダンパー６ａを略Ｓ字状の形状の第１のダンパー６ｂとこの第１のダンパー６ｂと対称となる逆略Ｓ字状の形状の第２のダンパー６ｄとで構成するものであり、この第１のダンパー６ｂと第２のダンパー６ｄの夫々の中央部で一体化される結合部６ｃを有するものである。
【００２６】
なお、支持板５の下端は上記夫々の第１のダンパー６ｂと第２のダンパー６ｄの中央部に接着結合してある。
【００２７】
また、図５に示す本実施の形態におけるダンパーの力・変位特性によれば、実施の形態１と同等の直線性が得られ、上向きと下向きの変位のスティフネスの差が少なくなるとともに、図４（ｂ）の側断面図で明らかなごとく、ダンパーの側面から見た形状が８ノ字形状を形成することになるので、実施の形態１に比較して大振幅時の歪みレベルのより低減が図れるものである。
【００２８】
（実施の形態３）
本発明の他の実施の形態を図６により説明する。なお、実施の形態１と同一部分は同一番号を付与し、説明を省略して説明する。
【００２９】
同図によると、実施の形態１との相違点は、ダンパー６ｆにあり、ダンパー６ｆの材料を綿等の繊維で形成するとともに、この繊維の編み込み方向を細長形状の長径方向と短径方向に対し斜め方向にしたものである。
【００３０】
上記構成により、振幅に対する強度を向上させて寿命特性の向上と大振幅特性の歪みレベルの更なる低減を図れるものである。
【００３１】
【発明の効果】
以上のように、本発明のスピーカは、長径と短径とを有する細長形状の振動板と、磁気ギャップを有する上記振動板に対応して複数個配置された磁気回路と、上記それぞれの磁気回路の上記磁気ギャップに亘って挿入されたボイスコイルを巻回してなる長径と短径とを有する細長形状のボイスコイルボビンと、底面に上記複数の磁気回路を配置したフレームと、このフレームの長径方向に懸架された断面略Ｓ字状の複数のダンパーと、このダンパーのＳ字状の略中央から上方に向けて突出し上記ボイスコイルボビンを支持してなる支持材で構成したことにより、ボイスコイルボビンの上下動の動きは、上記Ｓ字状のダンパーで支持されることによって上向きの力による変位と下向きの力による変位の差異を少なくでき大振幅時の非線形歪みが低減されて音質の向上が図れるものである。
【図面の簡単な説明】
【図１】本発明のスピーカの一実施の形態の分解斜視図
【図２】（ａ）同要部であるダンパーと支持板の斜視図
（ｂ）同側断面図
【図３】同ダンパーの力・変位特性図
【図４】（ａ）同他の実施の形態の要部であるダンパーと支持板の斜視図
（ｂ）同側断面図
【図５】同ダンパーの力・変位特性図
【図６】同他の実施の形態の要部であるダンパーと支持板の斜視図
【図７】（ａ）従来のスピーカの上面図
（ｂ）同長径方向の断面図
（ｃ）同短径方向の断面図
【図８】同ダンパーの力・変位特性図
【符号の説明】
１  振動板
２  エッジ
３  ボイスコイルボビン
４  ボイスコイル
５  支持板
６，６ａ，６ｆ  ダンパー
６ｂ  第１のダンパー
６ｄ  第２のダンパー
９  フレーム
１０  磁気回路
【図１】
0003601176.tif 000002
【図２】
0003601176.tif 000003
【図３】
0003601176.tif 000004
【図４】
0003601176.tif 000005
【図５】
0003601176.tif 000006
【図６】
0003601176.tif 000007
【図７】
0003601176.tif 000008
【図８】
0003601176.tif 000009